(57)【要約】  超高圧圧力増幅装置または増圧器は、２つのピストンを伴う２つのシリンダで構成され、それらが同時に動作するように接続されたデバイスであり、入れ子状にされた単純な圧力増幅装置を（直列または並列で取り付けない）含むマルチチャンバに取り付けることができ、使用される単純な増幅装置に依拠して超高圧を増加させるために使用され得る。本発明によると、気体または液体の流れは圧力Ｐ１で入り、一旦圧力Ｐ１で満たされると、流れは、チャンバ１内に位置する単純な圧力増幅装置に入り、流れを２つに分割し、一方は圧力Ｐ２まで増加されて、チャンバ１内に位置する別のチャンバ２に収容され、圧力Ｐ０に下げられてチャンバ１から解放される他方によって解放されたエネルギーを使用する。いくつかの排出の後、チャンバ２が圧力Ｐ２であるとき、チャンバ２内に位置する別の単純な圧力増幅装置が動作を開始して、流れを分割し、一方は、圧力Ｐ１に下げられた他方からのエネルギーを使用して、圧力Ｐ３まで増加させる。いくつかの排出の後、チャンバ３は圧力Ｐ３となり、新たな単純な圧力増幅装置および別のチャンバ４が、圧力を増加させ続けるために準備されている。このように、新たな増幅装置を伴って、所望の圧力まで高めた超高圧Ｐｎがチャンバｎに到達し得る。各チャンバは、複数の壁または一連のサブチャンバによって形成されてもよく、より大きい抵抗が実現され得る。本発明はとりわけ、超高圧焼結、超高圧を使用する殺菌した食料品の調製、または材料の切断のために使用され得る。【選択図】図４
2018518636.tif 000002
【特許請求の範囲】
【請求項１】
圧力下で気体または液体が供給され、その中央に単純な圧力増幅装置がある、最も外側（１０）から最も内側（ｎ）に並べられる同軸のチャンバ（１０、１１、１２、・・ｎ）であって、２つのシリンダおよびピストンが、両方のシリンダ−ピストンが同時に開閉するように接続される各圧力増幅装置（２１、２２）を形成し、その結果、一方は低圧で排出する空気圧エンジン（２１）として動作し、圧縮機として作用して高圧で解放する他方に相互接続される、同軸のチャンバ（１０、１１、１２、・・ｎ）において、単純な圧力増幅装置が異なる同軸チャンバに収容され、かつ所望のレベルまで圧力が増加し、外側から気体または液体が圧力Ｐ１でチャンバ１に噴射され、チャンバ１の内部でＰ１に達するときに、第１の単純な増幅装置によって取り込まれ、２つの流れに分割され、一方は圧力をＰ２に増加させて、他方の流れから圧力を得たエネルギーを伴ってチャンバ２に収容され、この他方の流れは外に出てＰ０まで減圧し、圧力Ｐ２がチャンバ２の内側に達すると、第２の増幅装置が働き、他の部分によってチャンバｉへのより低い圧力Ｐ１で除去されたエネルギーを伴って、チャンバ３にＰ３となるまで流体を噴射し、このようにして、ｎ−１増幅装置の後で、チャンバｎでＰｎを得て、そこで前記流体は電気ヒータによって熱することができ、または室温まで冷ますことができ、次に温度を下げるために減圧し、各チャンバは一組のサブチャンバとすることができ、サブチャンバの間に増幅装置を有さず、サブチャンバ材料の内側に分配するために同様の効果を有するために取り付けられ、結合されるか、または締めしろによって接続される、または、前記流体の流れを、前記流体を加速させて圧力を下げる特別の弁に流れ込むまで、マルチチューブを通過させ続け、それ自体をたとえば流体ジェットカッターとして構成することを特徴とする、同軸のチャンバ（１０、１１、１２、・・ｎ）。
【請求項２】
最も外側（１０）から最も内側（ｎ）に並べられ、圧力下で気体または液体が供給される、同軸のチャンバ（１１、１２、１３、・・ｎ）であって、それらの中央には単純な圧力増幅装置が位置し、各圧力増幅装置は、両方のシリンダ−ピストンが同時に開閉するように接続された、２つのシリンダおよびピストン（２１、２２）によって形成され、一方は空気圧エンジン（２１）として動作して低圧を解放し、圧縮機（２２）として作用して高圧を解放する他方に相互接続された、同軸のチャンバ（１１、１２、１３、・・ｎ）において、チャンバを接続するＶＩＭ１弁およびチェック弁を介し、マルチチャンバに入る流体を充填し始め、この流体が、チャンバ１内の全てのシステムが圧力Ｐ１に達してＶＩＭ１弁がその位置を変えるまで全てのチャンバを通過し、このようにして、前記流体は第１の増幅装置のエンジンシリンダに入り始め、同時に前記流体を、第１のチャンバからチェック弁を介して圧縮機シリンダまたはポンプに向けて入れ始め、両シリンダが満たされると、前記エンジンシリンダからのＶＥＭ１弁は開いて、圧力Ｐ１であった前記流体を外側に向かって接続し、同時に圧縮機シリンダまたはポンプを動作させ始め、前記流体を、ＶＲ弁を介してＰ１以上の圧力でチャンバ２に入れ、ＶＩＭ１弁がその位置を変え、チャンバ１の圧力が再びＰ１に達するまでは次の排出が増幅装置１に向かうことを許さないように、除去された２つの排出が低圧で外側に向かい、それ以外がチャンバ２内に向かうため、チャンバ１内の圧力は減少し、新たな排出は外側から送られ、圧力をＰ１に到達させ、ＶＩＭ１弁は変化して前記流体が増幅装置１エンジンに再び入るのを可能にし、同時に前記流体を、チャンバ自体から圧縮機シリンダまたはポンプに入るのを可能にし、両シリンダが満たされているとき、第２の排出はチャンバ２に向かい、他方は外側に向かい、ＶＩＭ１弁の位置は再び変化し、圧力Ｐ１に達して第３の排出がチャンバ２に向かって開始されるまで、前記エンジンシリンダへの接近を許可せず、同様に、圧力Ｐ２に達してチャンバ２からＶＩＭ２弁の位置を変えるまで、さらなる排出がチャンバ２に入り、チャンバ２は、前記流体が単純な増幅装置２に入ってチャンバ３に接近するために開き、前記エンジンシリンダはチャンバ１に開放し、Ｐ２に回復するために圧力増幅装置１からの第２の排出を入れるように、チャンバ２からわずかに圧力Ｐ２を下げ、ＶＩＭ２を変化させて単純な圧力増幅装置２の膨脹を開始して、最終的に第２のシリンダをチャンバ３内に入れ、同様に、単純な圧力増幅装置ｉは、チャンバｉ内の圧力がＰｉ以上であるときのみ、動作する、もしくは、閉じたままで、チャンバｉに供給する圧力下の前記流体は、単純な増幅装置ｉの外側に向かい、Ｐｉ以上になるまで圧力を増加させ、このようにしてチャンバｎ内でＰｎを得ることを特徴とする、同軸のチャンバ（１１、１２、１３、・・ｎ）。
【請求項３】
最も外側（１０）から最も内側（ｎ）に並べられ、圧力下で気体または液体が供給され、その中央に単純な圧力増幅装置がある同軸のチャンバ（１１、１２、１３、・・ｎ）であって、各圧力増幅装置は、両方のシリンダ−ピストンが同時に開閉するように接続された、２つのシリンダおよびピストン（２１、２２）によって形成され、その結果、一方は低圧で解放する空気圧エンジン（２１）として動作し、圧縮機（２２）として作用して高圧で解放する他方に相互接続される、同軸のチャンバ（１１、１２、１３、・・ｎ）において、任意のチャンバｉは、チャンバｉの前に単純な増幅装置（３１）を有し、単純な増幅装置（３１）によって供給され、次いで、チャンバｉ内のチャンバｉ＋１（３３）に接続される最後の内部チャンバである場合を除き、チャンバｉ内に別の単純な増幅装置（３２）を有し、簡単なチャンバであるか、または結合されるかもしくは締めしろにより接続されたシリンダチャンバであるか、または各対のサブチャンバ間の圧力下で流体を調整し、締めしろによって接続される複数のサブチャンバであるかのように作用することができる弁を伴う複数のサブチャンバ（ｉｊ、図３）のために構成され、これは全て、前の単純な増幅装置ｉ−１または外部からの流体が入り、Ｐｉ−１よりも高い値で圧力を増加し始め、チャンバｉがＰｉに達するまで、調整されたチェック弁ＶＲＲｋを介してサブチャンバ（ｉｊ）をＰｉ１、Ｐｉ２、Ｐｉｋまで満たし始め、単純な増幅装置ｉ（３２）の操作を始めることが理由であり、または、最後のチャンバが、圧力下の流体をそれぞれの調製されたチェック弁ＶＲＲを用いて受け入れる、結合されたもしくは複数の単純な壁の一部を有し得るために、最後のチャンバに到達することを特徴とする、同軸のチャンバ（１１、１２、１３、・・ｎ）。
【発明の詳細な説明】
【技術分野】
【０００１】
決められた圧力で流れを２つの流れに分割し、一方はより高い圧力であり、他方はより低い圧力であるという結果をもたらすことができる、気体もしくは液体の圧力増幅装置または増圧器と称される機構がある。この機構は、より高い圧力を送達する流れに必要とされる、流れユニット毎のより大きいエネルギーが、より低い圧力で送達する他方の流れから得られるために、外部エネルギーを必要としない。
【０００２】
現在それらは、ボイラー内で生成される異なるプロセスのための水蒸気圧を必要とする工場における蒸気ネットワーク、または、空気圧ツールもしくは圧気工法における異なる用途のためにプラントで生成される空気ネットワーク、または、別の設備のために貯蔵された圧力よりも高い圧力を必要とする設備を、最終的に管理する液圧ネットワークに使用されている。
【０００３】
少なくともわずかな間、貯蔵されたものよりも高い圧力を必要とする設備があることがあり、この場合、圧縮機、ボイラー、またはポンプによって生成される圧力よりも、高い圧力の流体を送達する圧力増幅装置を使用することができ、即座に生成条件を変更する必要はない。
【０００４】
しかし、現在知られている圧力増幅装置の使用を超過する、より高い圧力を依然として必要とする場合は、超高圧アイソスタティック圧力増幅装置が使用され、超高圧アイソスタティック圧力増幅装置は、極めて単純な圧力増幅装置のセットであり、異なる圧力レベルでマルチチャンバ内に取り付けられ、後続のより内側のチャンバにおいて、構築する材料自体の降伏電圧よりも高い圧力を生み出すことができる方式で、１つの装置が、先行の装置の排出を流体入口として受けるように「入れ子状にされる」。
【０００５】
したがって、超高圧が必要とされるがそれを生成する方法がないことから、発明の分野は、２つ以上の取り付けられた「入れ子状の」増幅装置を使用する必要があるデバイスにまで広がる。流れは関係ないが、たとえば超高圧アイソスタティック加圧焼結においては、毎秒数立方センチメートルほどで十分な超高圧が関係する。
【背景技術】
【０００６】
当技術分野において、２つ以上の設備に供給するボイラー、圧縮機、またはポンプの圧力よりも高い圧力を使用する方式として使用される、圧力増幅装置が発明されてきた。それは、いくつかのブランド名を挙げると、ＩＮＰＲＯＮＥまたはＳＭＣ  ＣＯＲＰＯＲＡＴＩＯＮなどの圧力増幅装置で生成される。
【０００７】
現行の増幅装置は、より大きい圧力で別の増幅装置に供給し、さらに高い圧力を作り出して、高い圧力で供給するように、現行の増幅装置は、電源として機能し得るか、または連続し得る他の装置から離されて、大気圧または比較的低圧環境で動作する。しかし、入れ子状ではないか、または高圧力に浸漬されない。その機能のためのチャンバは必要ではなく、使用もしない。
【０００８】
圧力増幅装置は２つに分割されたダクトを有し、それによって流体は１つの流入圧で入り、２つの排出の一方は低圧の流体が排出され、他方は高圧の流体が排出される。流体からの圧力を低減させるピストンシリンダは、圧力を増加させる他のピストンシリンダ内で動作する。
【０００９】
いくつかの増幅装置は、第１の増幅装置からのより高い圧力の排出の流れが、第２の増幅装置の流入の流れとなり、第２の増幅装置からのより高い圧力の排出がさらに高い圧力を送達するように、「連続して」接続されてもよい。
【００１０】
しかし、増幅装置のこの「連続した」接続は、より低い圧力の排出に起因せずに発生する圧力に起因する。より高い供給圧力の増幅装置は、第１の増幅装置と同じ環境にある。
現在の圧力増幅装置はチャンバを有さず、直ちに圧力下で流体を流入させる代替の状態で作用もしない、即ち、圧力下で流体を送達せず、流体をより高い圧力で送達するときは、より低い圧力でも送達するので、現在の圧力増幅装置は、入れ子状に取り付けることができない。
【００１１】
超高圧圧力増幅装置において、単純な増幅装置は、１つの装置が別の装置の内側に位置するか、または別の装置の圧力を外側に有する「入れ子状」にある。単純な増幅装置の排出は、それが第１の増幅装置である場合以外は、先行の増幅装置からの供給である。
【発明の概要】
【００１２】
超高圧圧力増幅装置は、２つ以上の単純な圧力増幅装置を使用し、特に複数のチャンバに取り付けられ、チャンバ１の内側に位置する第１の増幅装置が、圧力Ｐ１の気体または液体を取入れて圧力をＰ２まで上げてチャンバ２へ噴射し、次に第２の単純な増幅装置を取入れて気体または液体の一部の圧力をＰ３まで上げて、チャンバ２の内部に位置するチャンバ３に収め、次にＰ４まで上げた新たな単純な増幅装置で続けてチャンバ４に収め、Ｐｎまで圧力を上げるまで続けるような、機構である。
【００１３】
各単純な増幅装置をｉとし、１、２、３、ｎとしてよく、ｉはチャンバｉの内部に位置して、チャンバｉ−１までチャンバ１によって囲まれる。各単純な増幅装置ｉは、チャンバｉ−１からの流体でＰｉの圧力で満たされる。各単純な増幅装置ｉは、チャンバｉ−１へのより低い圧力Ｐｉ−１を削除して、同時にチャンバｉ＋１にＰｉ＋１で噴射する。より低い圧力の流れの一部によってエネルギーが解放され、より高い圧力の流れの一部からのエネルギーが増加する。
【００１４】
チャンバｎの内部で得られる、Ｐｎの気体または液体によって、超高圧アイソスタティック加圧焼結が成され、そのために電気抵抗ヒータを要する。熱間アイソスタティック加圧（Ｈｏｔ  Ｉｓｏｓｔａｔｉｃ  Ｐｒｅｓｓｕｒｅ、ＨＩＰ）システムとして、しかし超高圧において、ＨＩＰシステムで実現される圧力よりも大幅に高い。
【００１５】
システムは、圧力をＰｎまで上げるため、圧力Ｐ１の気体または液体からの外部エネルギーより大きいエネルギーを必要としないことに、留意されたい。圧力をＰｉからＰｉ＋１に上げるために必要なエネルギーは、Ｐｉにおける同じ気体または液体から得られ、そのときＰｉ−１の圧力を現存の圧力増幅装置のように下げる。
【００１６】
返される圧力Ｐ０で外部から提供される、超高圧圧力増幅装置Ｐ１へ入る際の圧力差は、ステージ１からステージｎに入るエネルギーである。
異なるプロセスで使用されるのは、超高圧圧力増幅装置であって、その中で科学者は今日まで、ダイアモンドアンビルセルにおける超高圧で研究してきた。増幅装置を用いて実現された超高圧アイソスタティック圧力は、業界で使用されている熱間アイソスタティック加圧（ＨＩＰ）、または冷間アイソスタティック加圧（ＣＩＰ）方法によって実現する圧力の３倍以上である。
【００１７】
超高圧アイソスタティック圧力、およびそれを介した、現在は不可能である、タングステンカーバイド焼結要素、炭化チタン、窒化ホウ素などを作ることが可能である。超高圧焼結のように、材料科学、薬剤、地質学、生物学などを含む、ダイアモンドアンビルセルで行われた多くの研究を産業化することが可能であり、今日では基礎研究として行われる。
【００１８】
自動車および機械、道具、兵器などの航空宇宙産業からは成し遂げられなかった、新しい材料から部品を作ることを可能にするので、本発明は先駆的な革新である。温度を用いずに食料品を殺菌するため、機械装置ではスチールなどの材料を切断するため、およびダイアモンドアンビルセルで実行される多くの新しい適用のために、超高圧を用いる。
【図面の簡単な説明】
【００１９】
【図１】マルチチャンバの充填および排出を容易にする前後のカバーが描写されていない、チャンバ１０、１１、１２・・・で形成されるマルチチャンバを示す図である。
【図２】２つのピストンを伴う２つのシリンダである、２つの同様の部品から形成され得るか、または、２つのシリンダおよび２つのピストンが堅固に接続される、外部的に超高圧で作用することができる、単純な圧力増幅装置を示す図である。
【図３】締めしろにより接続されているかのように動作するサブチャンバから成り、サブチャンバは連結されないが、各サブチャンバの圧力差を維持することを可能にする調整されたチェック弁とのみ連結される、チャンバを示す図ある。
【図４】気体または液体からの超高圧マルチチャンバを示す図である。
【発明を実施するための形態】
【００２０】
単純な増幅装置は、それぞれのピストンを伴う２つのシリンダから構成され、図２に示されるように、流体を同じ圧力で両方のシリンダに入れ、エンジンと称されるシリンダは低圧で解放され、他の圧縮機シリンダまたはポンプはより大きい圧力にあるように、ピストンはピストンに堅固に接続され、シリンダはシリンダに堅固に接続され、または複数のピストンおよび複数のシリンダは堅固に接続される。
【００２１】
単純な増幅装置は、流体をエンジンシリンダ、および圧縮機シリンダまたはポンプに入れるとき、それらは送達せず、両方のシリンダが膨脹過程にあり、シリンダが送達し始めるか、空になり始めるとき、それは入らないというように交互に動作する。
【００２２】
図４の超高圧圧力増幅装置は、第１の増幅装置に供給される圧力Ｐ１が、第１の増幅装置の外部、または第１の増幅装置の周りのチャンバ１の内部に位置し、同時に、チャンバ１の内部にあるチャンバ２内で、圧力Ｐ２で流体の一部を噴射し、流体の他の部分を圧力Ｐ０でチャンバ１外に出すように、２つ以上の単純な圧力増幅装置を使用する機構であり、特にマルチチャンバ内に取り付けられ、「入れ子状にされる」。
【００２３】
単純な圧力増幅装置１は、チャンバ１の内部の圧力がＰ１以上であるときのみ動作し、他の場合は閉じたままで、チャンバ１に供給する圧力を受けた流体は、単純な増幅装置１から外に出て、Ｐ１以上になるまで圧力を増加させる。
【００２４】
同様に、単純な圧力増幅装置ｉは、チャンバｉの内部の圧力がＰｉ以上であるときのみ動作し、それ以外では閉じたままで、チャンバｉに供給する圧力を受けた流体は、単純な増幅装置ｉから外に出て、Ｐｉ以上になるまで圧力を増加させる。
【００２５】
次に、第２の増幅装置に供給する圧力Ｐ２がチャンバ２の内部に位置し、同時に増幅装置２の周りで、チャンバ２の内部のチャンバ３において圧力Ｐ３で流体の一部を噴射して、圧力Ｐ１のそれ以外の流体をチャンバ２の外側のチャンバ１に入れる。
【００２６】
第３の増幅装置に供給する圧力Ｐ３がチャンバ３の内部に残り、同時に増幅装置３の周りで、チャンバ３の内部のチャンバ４に圧力Ｐ４で流体の一部を噴射して、圧力Ｐ２のそれ以外の流体をチャンバ３の外側のチャンバ２に入れる。
【００２７】
増幅装置ｎ−１がＰｎ−１を囲み、チャンバｎ−１の内部はＰｎ−１の圧力であり、Ｐｎ−１は、異なる方法では達成できない目標の圧力であるＰｎ圧力を作る位置にあるようにＰｎ−１を得る。
【００２８】
超高圧圧力増幅装置の変形は、各チャンバを形成するいくつかのサブチャンバを有してよく、これは各サブチャンバに少なくとも１つの、いくつかの調整されたチェック弁によって実現される。このようにして、チェック弁は、全てのサブチャンバが締めしろによって接続されるかのように、作用する。
【００２９】
単純な圧力増幅装置は、交互に動作する機構である。単純な圧力増幅装置は、連続した圧力では流体を送達せず、圧縮過程において気体または液体を送達し、内部チャンバでより高い圧力の流体を送達し、同時に低い圧力で前のチャンバまたは外部へ送達する。充填過程の後、流体を送達しないが、圧力を受けた流体を受け取るか、または待機する。
【００３０】
単純な圧力増幅装置は、圧力を受けた、または超高圧を受けた状態で問題なく動作できるが、それは、流体流入路において、流体は充填段階ではろ過作用を受けないので、単純な増幅装置の周りの流体と内部の流体との間の圧力差の影響を受けないためである。この理由のため、単純な圧力増幅装置は、半分満たすのに１分以上待つことができる。
【００３１】
単純な圧力増幅装置は、排出段階にあるとき、半分空になるまで待つことはできないが、それは、単純な増幅装置内部の流体は圧力差を有し、それによって止まりかける場合にろ過作用が起こるからである。チャンバ内では、決められた圧力レベルにおいていずれも、噴射している方はより大きい圧力、排出している方はより低い圧力である。
【００３２】
超高圧圧力増幅装置は、高温の希ガスを伴って内部で働く電気ヒータ、またはレーザーヒータを有し得る最後の内部チャンバに、流体を送達する。内部には、写真用カメラまたはテレビカメラを有し得る。
【００３３】
マルチチャンバは、複数パイプと呼ばれるような、長くかつ薄くされてよく、一方の端部は、圧力を解放する特別の弁を有し、流体が切断を引き起すのを助長する。これは超高圧カッターである。
【００３４】
０°未満の温度で気体冷却器として作用させるため、まず気体を圧縮することによって、チャンバはほぼ断熱的に熱くなり、次に内部の気体が室温まで冷まされる。次に気体の一部が、温度が室温未満に下がるように取り出される。
【００３５】
各チャンバは、サブチャンバ間で単純な増幅装置機構を有さない、同軸のサブチャンバによって構成され得る。チャンバｉの場合、各サブチャンバの流入および流出のための調整したチェック弁（スペイン語の頭字語でＶＲＲ）を有するサブチャンバから、Ｐ１である最後のサブチャンバの圧力以外で、Ｐｉ−１より高くＰｉより低い圧力の流体を各サブチャンバが含む方法で、圧力が増加する。
圧力を低減させて空にできるよう、排出弁は、自動式であり得る機構を伴って開けられる。
【００３６】
弁およびセンサの説明
エンジンへの流入弁（スペイン語の頭字語でＶＩＭ）は、１つの入口と２つの出口を有する：これは、流体をチャンバに入れる際に単純な増幅装置エンジンへの流入を有する弁である。チャンバｉに入る流体Ｐｉｎと、チャンバｉ−１の流体圧、またはｉ＝１の場合は室内の流体圧との間の圧力差は、Ｐｉ−Ｐｉ−１の特定の確立された値以上である。圧力差がその値よりも低い場合、流体はエンジンに入らず、エンジンの外側のチャンバｉの内側に入る。
【００３７】
圧力差センサ：圧力差センサは、チャンバｉとチャンバｉ−１との間の圧力差を捕捉する機能を有する。圧力差センサは、圧力差が前に確立された値よりも大きいときに、ＶＩＭ弁がエンジン内に流体を送達するように、ＶＩＭ弁と連通する。圧力差が小さい場合、流体はエンジンの外部に送達される。
【００３８】
エンジンへの出口弁ＶＥＭ（スペイン語の頭字語）：エンジンシリンダが満たされているとき、エンジンの流体出口弁は、圧力Ｐｉ−１で先行のチャンバに向かって動作する。エンジンシリンダが空の場合にエンジンは閉じられ、エンジンに入る流体の蓄積を再び可能にする。エンジンシリンダＶＥＭは２つの止め具を伴って作用する。一方は、シリンダが満たされているときにＶＥＭ弁が開き、他方は、エンジンが閉じ終えたときＶＥＭ弁もまた閉じる。各チャンバがいくつかのサブチャンバから構成される場合、エンジン出口弁は流体を先行のチャンバに入れる。
【００３９】
ＶＳＥ：チャンバｉ内の流体が過剰であるとき、安全弁は排出側に動作し、流体はチャンバｉ−１に除去される。圧力差が、前に確立された圧力差と比較して大幅な値を超えるとき、安全弁は作動する。エンジン排出量にかかわらず、より高い圧力は発生しないことは確実となる。
【００４０】
ＶＲ：接近および排出の両方でより高い圧力のチェック弁であり、単純な増幅装置圧縮機シリンダまたはポンプを有する。単純なチェック弁は、各チャンバの壁で接続される。
ＶＲＲ：調整されたチェック弁は、特定の調製された弁の上位にあるとき、一方向の流れの通過を可能にする弁である。単純な増幅装置によるいくつかのサブチャンバがある場合、各サブチャンバ内にあるのが、チェック弁である。または、各単純な増幅装置が、シリンダを有する場合には、サブチャンバが締めしろによって接続されるかのようにシリンダを有する。
【００４１】
特許請求される発明を実施するための方法を示す
本発明の実施は簡単である。請求されるような増幅装置は、２つのシリンダおよび２つのピストンで構築される。各シリンダおよびピストンは互いに接続され、シリンダおよびピストンの両方が同時に機能するように、他のシリンダと一対にする。
シリンダの大きさは、１．０立方メートルのように大きく、または１立方センチメートルのように小さい。
【００４２】
使用方法
増幅装置は、所望の圧力および流れ特性を伴って、市場で提供されるべきである。どこで必要とされ、だれが流れ増幅装置を必要とするか。その必要性は任意の産業で多くあり、通常は異なる設備と機能するために釜を有する。加工食品工場を考慮するか、または超高圧焼結金属部品を作り出すために使用され得る。
【図１】
2018518636.tif 000003
【図２】
2018518636.tif 000004
【図３】
2018518636.tif 000005
【図４】
2018518636.tif 000006
【国際調査報告】
2018518636.tif 000007
2018518636.tif 000008
2018518636.tif 000009
2018518636.tif 000010
2018518636.tif 000011
2018518636.tif 000012
2018518636.tif 000013
2018518636.tif 000014